【手続補正書】
【提出日】平成20年3月31日(2008.3.31)
【手続補正１】
【補正対象書類名】特許請求の範囲
【補正対象項目名】全文
【補正方法】変更
【補正の内容】
【特許請求の範囲】
【請求項１】
それぞれが企業に関連するリスクを表し、アトリビュート及びメソッドを含むように構成される、複数のリスク・ソフトウェア・オブジェクトと、
それぞれが前記企業に関連するリスク以外のものを表す、複数の非リスク・ソフトウェア・オブジェクトと、
前記リスク・ソフトウェア・オブジェクトの一つと前記非リスク・ソフトウェア・オブジェクトの一つとの間の関連性を指定するリレーションシップと
を含むメモリ・システムと、
前記リスク・ソフトウェア・オブジェクト、前記非リスク・ソフトウェア・オブジェクト及び前記リレーションシップを管理するように構成されるコンピュータ処理システムと
を備えるリスク管理システム。
【請求項２】
前記コンピュータ処理システムは、前記リスク・ソフトウェア・オブジェクトの一つにおける変更に応答して、プロセスを起動するように構成される、請求項１に記載のリスク管理システム。
【請求項３】
前記プロセスは、前記変更されたリスク・ソフトウェア・オブジェクトに関連するメソッドにより指定される、請求項２に記載のリスク管理システム。
【請求項４】
前記コンピュータ処理システムは、イベント発生時に前記リスク・ソフトウェア・オブジェクトの一つに変更を生ずるように構成される、請求項１に記載のリスク管理システム。
【請求項５】
前記イベントは、前記リスク管理システムの外部で発生するものである、請求項４に記載のリスク管理システム。
【請求項６】
前記イベントは、前記リスク管理システムの内部で発生するものである、請求項４に記載のリスク管理システム。
【請求項７】
前記イベントは、一定時間の経過に基づくものである、請求項６に記載のリスク管理システム。
【請求項８】
前記リレーションシップは、リンク・オブジェクトによって表される、請求項１に記載のリスク管理システム。
【請求項９】
前記リレーションシップは、該リレーションシップによって関連付けられる前記リスク・ソフトウェア・オブジェクトのアトリビュートとして表される、請求項１に記載のリスク管理システム。
【請求項１０】
前記コンピュータ処理システムは、前記リスク管理システムのユーザが、前記リスク・ソフトウェア・オブジェクトを定義することを可能にするように構成される、請求項１に記載のリスク管理システム。
【請求項１１】
前記リレーションシップによって関連付けられる前記非リスク・ソフトウェア・オブジェクトは個人を表す、請求項１に記載のリスク管理システム。
【請求項１２】
前記リレーションシップによって関連付けられる前記非リスク・ソフトウェア・オブジェクトはポリシーを表す、請求項１に記載のリスク管理システム。
【請求項１３】
前記リレーションシップによって関連付けられる前記非リスク・ソフトウェア・オブジェクトは資産を表す、請求項１に記載のリスク管理システム。
【請求項１４】
前記リレーションシップによって関連付けられる前記非リスク・ソフトウェア・オブジェクトは取引を表す、請求項１に記載のリスク管理システム。
【請求項１５】
前記リレーションシップによって関連付けられる前記非リスク・ソフトウェア・オブジェクトは損失を表す、請求項１に記載のリスク管理システム。
【請求項１６】
前記リスク・ソフトウェア・オブジェクトの一つの前記アトリビュートの一つは、前記リスクに関連する可能性のある損失を表す、請求項１に記載のリスク管理システム。
【請求項１７】
前記リレーションシップによって関連付けられる前記非リスク・ソフトウェア・オブジェクトは文書を含む、請求項１に記載のリスク管理システム。
【請求項１８】
前記コンピュータ処理システムは、ユーザに、該ユーザが変更しようとするリスク・ソフトウェア・オブジェクトに対する排他的アクセス権を許可するように構成される、請求項１に記載のリスク管理システム。
【請求項１９】
前記コンピュータ処理システムは、前記リスク・ソフトウェア・オブジェクトへなされたアクセスに関する監査証跡を生成し、格納するように構成される、請求項１に記載のリスク管理システム。
【請求項２０】
前記コンピュータ処理システムは、各リスク・ソフトウェア・オブジェクトが、前記リスク管理システムのユーザによって複数回変更されることを可能にし、且つ、各リスク・ソフトウェア・オブジェクトが、前記変更の各々の前のそれぞれの状態に再構成されることを可能にするように構成される、請求項１に記載のリスク管理システム。
【請求項２１】
前記メモリ・システムは、
前記企業に関連する複数のワークフロー・プロセスと、
前記リスク・ソフトウェア・オブジェクトの一つと、前記ワークフロー・プロセスの一つとの間の関連性を指定するリレーションシップと
を含み、
前記コンピュータ処理システムは、前記ワークフロー・プロセス及び前記リレーションシップを管理するように構成される
請求項１に記載のリスク管理システム。
【請求項２２】
前記メモリ・システムは、前記リスク・ソフトウェア・オブジェクトの二つの間の関連性を指定するリレーションシップを含み、
前記コンピュータ処理システムは、前記リレーションシップを管理するように構成される、
請求項１に記載のリスク管理システム。
【請求項２３】
前記コンピュータ処理システムは、前記リスク管理システムのユーザが、別のソフトウェア・オブジェクトとのリレーションシップに基づいて、あるソフトウェア・オブジェクトにナビゲートすることを可能にするように構成される、請求項１に記載のリスク管理システム。
【請求項２４】
前記メモリ・システムは、リスク・ソフトウェア・オブジェクト用のテンプレートを含み、
前記コンピュータ処理システムは、前記リスク管理システムのユーザが、前記テンプレートに基づいてリスク・ソフトウェア・オブジェクトを定義することを可能にするように構成される、
請求項１に記載のリスク管理システム。
【請求項２５】
前記テンプレートは、前記リスク・ソフトウェア・オブジェクトの一つに基づいたものであり、
前記コンピュータ処理システムは、前記リスク管理システムのユーザが、前記リスク・ソフトウェア・オブジェクトの一つに基づいてテンプレートを作成することを可能にするよう構成される、
請求項２４に記載のリスク管理システム。
【請求項２６】
コンピュータ処理システムにおいて、企業に関連する複数のリスクを管理する方法であって、
各リスクを表すアトリビュート及びメソッドを含むよう構成されるリスク・ソフトウェア・オブジェクトを定義するステップと、
前記企業に関連するリスク以外の何かある事を表す複数の非リスク・ソフトウェア・オブジェクトの各々を定義するステップと、
前記リスク・ソフトウェア・オブジェクトの一つと前記非リスク・ソフトウェア・オブジェクトの一つとの間の関連性を示すリレーションシップを設定するステップと、
前記リスク・ソフトウェア・オブジェクト、前記非リスク・ソフトウェア・オブジェクト、前記リレーションシップ、及び前記コンピュータ処理システムを用いて前記リスクを管理するステップと
を含む方法。
【請求項２７】
コンピュータ処理システムに、
企業における各リスクを表すアトリビュート及びメソッドを含むように構成されるリスク・ソフトウェア・オブジェクトを定義するステップと、
前記企業に関連するリスク以外のものを表す複数の非リスク・ソフトウェア・オブジェクトの各々を定義するステップと、
前記リスク・ソフトウェア・オブジェクトと前記非リスク・ソフトウェア・オブジェクトの間の関連性を示すリレーションシップを設定するステップと、
前記リスク・ソフトウェア・オブジェクト、前記非リスク・ソフトウェア・オブジェクト及び前記リレーションシップを用いて前記リスクを管理するステップと
を実行させるコンピュータ・プログラム。
【請求項２８】
メモリ・システム及びコンピュータ処理システムを備えるリスク管理システムであって、
該メモリ・システムは、
それぞれが企業に関連するリスクを表し、アトリビュート及びメソッドを含むように構成される、複数のリスク・ソフトウェア・オブジェクトと、
前記企業に関連する複数のワークフロー・プロセスと、
前記リスク・ソフトウェア・オブジェクトの一つと前記ワークフロー・プロセスの一つとの間の関連性を指定するリレーションシップとを含み、
該コンピュータ処理システムは、前記リスク・ソフトウェア・オブジェクト、前記ワークフロー・プロセス、及び前記リレーションシップを管理するように構成される、
リスク管理システム。
【請求項２９】
コンピュータ処理システムにおいて、企業に関連する複数のリスクを管理する方法であって、
各リスクを表し、アトリビュート及びメソッドを含むように構成されるリスク・ソフトウェア・オブジェクトを定義するステップと、
前記企業に関連する複数のワークフロー・プロセスを定義するステップと、
前記リスク・ソフトウェア・オブジェクトの一つと前記ワークフロー・プロセスの一つとの間の関連性を示すリレーションシップを設定するステップと、
前記コンピュータ処理システムを用い、前記リスク・ソフトウェア・オブジェクト、前記ワークフロー・プロセス及び前記リレーションシップを用いて、前記リスクを管理するステップと
を含む方法。
【請求項３０】
コンピュータ処理システムに、
企業における各リスクを表すアトリビュート及びメソッドを含むように構成されるリスク・ソフトウェア・オブジェクトを定義するステップと、
前記企業に関連する複数のワークフロー・プロセスを定義するステップと、
前記リスク・ソフトウェア・オブジェクトと前記ワークフロー・プロセスの間の関連性を示すリレーションシップを設定するステップと、
前記リスク・ソフトウェア・オブジェクト、前記ワークフロー・プロセス、及び前記リレーションシップを用いて前記リスクを管理するステップと
を実行させるコンピュータ・プログラム。
【請求項３１】
コンテンツ管理システムと、
プロセス管理システムと、
前記コンテンツ管理システム及び前記プロセス管理システムに関連し、アトリビュート及びメソッドを含むように構成されるリスク・ソフトウェア・オブジェクトとしてリスクを定義することを可能にするように構成されるコンピュータ処理システムと
を備えるリスク管理システム。
【請求項３２】
前記コンテンツ管理システム及び前記プロセス管理システムは、単一の統合管理システムの一部である、請求項３１に記載のリスク管理システム。
【請求項３３】
前記コンテンツ管理システム及び前記プロセス管理システムは、別々のシステムである、請求項３１に記載のリスク管理システム。
【請求項３４】
文書管理システムをさらに含み、前記コンピュータ処理システムは、リスク・ソフトウェア・オブジェクトとして定義される前記リスクが、前記文書管理システムに関連付けられることを可能にするようにさらに構成される、請求項３１に記載のリスク管理システム。
【請求項３５】
前記コンピュータ処理システムは、前記リスク・ソフトウェア・オブジェクトが、記録管理システムによって管理される記録として宣言されることを可能にするように構成される、請求項３１に記載のリスク管理システム。
【請求項３６】
前記コンピュータ処理システムは、前記リスク・ソフトウェア・オブジェクトの一つのアトリビュートに関連する前記記録管理システム内の少なくとも一つの記録を管理する前記プロセス管理システムの内のプロセスを、そのアトリビュートにおける変更に応答して開始するように構成される、請求項３５に記載のリスク管理システム。
【請求項３７】
少なくとも一つの記録を管理する前記プロセスは、前記少なくとも一つの記録を前記記録管理システムに追加されるようにする、請求項３６に記載のリスク管理システム。
【請求項３８】
少なくとも一つの記録を管理する前記プロセスは、前記少なくとも一つの記録を前記記録管理システム内で分類されるようにする、請求項３６に記載のリスク管理システム。
【請求項３９】
少なくとも一つの記録を管理する前記プロセスは、少なくとも一つの記録を、予め決められた保持期間によって管理されるようにする、請求項３６に記載のリスク管理システム。
【請求項４０】
前記プロセス管理システムは、ワークフロー管理システムを含む、請求項３１に記載のリスク管理システム。
【請求項４１】
メモリ・システム及びコンピュータ処理システムを備えるリスク管理システムであって、
該メモリ・システムは、
それぞれが企業に関連するリスクを表し、アトリビュート及びメソッドを含むように構成される、複数のリスク・ソフトウェア・オブジェクトと、
前記リスク管理システムの一人又は複数のユーザによって定義された前記リスク・ソフトウェア・オブジェクトの二つの間の関連性を指定する複数のリレーションシップと
を含み、
該コンピュータ処理システムは、前記リスク・ソフトウェア・オブジェクトと前記複数のリレーションシップを管理するように構成される、リスク管理システム。
【請求項４２】
企業に関連する複数のリスクを管理する方法であって、
コンピュータ処理システム内で、各リスクを表すアトリビュート及びメソッドを含むよう構成されるリスク・ソフトウェア・オブジェクトを定義するステップと、
前記コンピュータ処理システム内で、ユーザの指示の下に、前記リスク・ソフトウェア・オブジェクトの二つの間における関連性を示す複数のリレーションシップを設定するステップと、
前記リスク・ソフトウェア・オブジェクト、前記複数のリレーションシップ、及び前記コンピュータ処理システムを用いて前記リスクを管理するステップと
を含む方法。
【請求項４３】
コンピュータ処理システムに、
企業における各リスクを表すアトリビュート及びメソッドを含むように構成されるリスク・ソフトウェア・オブジェクトを定義するステップと、
ユーザの指示の下に、前記リスク・ソフトウェア・オブジェクトの二つの間の関連性を示す複数のリレーションシップを設定するステップと、
前記ソフトウェア・オブジェクト及び前記複数のリレーションシップを用いて前記リスクを管理するステップと
を実行させるコンピュータ・プログラム。
【請求項４４】
メモリ・システム及びコンピュータ処理システムを備えるリスク管理システムであって、
該メモリ・システムは、それぞれが企業に関連するリスクを表し、アトリビュート及びメソッドを含むように構成される、複数のリスク・ソフトウェア・オブジェクトを含み、
該コンピュータ処理システムは、
ユーザが、該ユーザが変更しようとするリスク・ソフトウェア・オブジェクトに対する排他的アクセス権を許可されることと、
各リスク・ソフトウェア・オブジェクトが、前記リスク管理システムのユーザによって複数回変更し、各リスク・ソフトウェア・オブジェクトが、各々の変更の前のそれぞれの状態に再構成されることと、
前記リスク管理システムのユーザが有する前記リスク・ソフトウェア・オブジェクトに対するアクセス権が規制されることと
を可能にするように構成される、リスク管理システム。
【請求項４５】
企業に関連する複数のリスクを管理する方法であって、
コンピュータ処理システム内で、各リスクを表すアトリビュート及びメソッドを含むよう構成されるリスク・ソフトウェア・オブジェクトを定義するステップと、
ユーザに、該ユーザが変更しようとする前記リスク・ソフトウェア・オブジェクトの一つに対する排他的アクセス権を許可するステップと、
ユーザによって変更された前記リスク・ソフトウェア・オブジェクトの一つを、その変更前の状態に再構成するステップと、
前記リスク・ソフトウェア・オブジェクトの全部ではなく一部に対するアクセスからユーザをブロックするステップと
を含む方法。
【請求項４６】
コンピュータ処理システムに、
企業における各リスクを表すアトリビュート及びメソッドを含むように構成されるリスク・ソフトウェア・オブジェクトを定義するステップと、
ユーザに、該ユーザが変更しようとする前記リスク・ソフトウェア・オブジェクトの一つに対する排他的アクセス権を許可するステップと、
ユーザによって変更された前記リスク・ソフトウェア・オブジェクトの一つを、その変更前の状態に再構成するステップと、
前記リスク・ソフトウェア・オブジェクトの全部ではなく一部に対するアクセスからユーザをブロックするステップと
を実行させるコンピュータ・プログラム。